(57)【要約】  【課題】鉄片を含む磁性体の解放性を向上させる。  【解決手段】コア２部にロッド用孔４が穿設されたマグネット本体５と、該マグネット本体５の吸着面５ａとほぼ同面積からなり、背面部のロッド６がロッド用孔４に遊挿されるとともにマグネット本体５が非励磁状態のときはスプリング１０の弾力により吸着面５ａから所定間隔だけ離隔して保持される軟鉄を含む材質製の可動プレート７とを備え、マグネット本体５が励磁されたとき、スプリング１０の弾力に抗して可動プレート７を吸着面５ａに吸着するとともに可動プレート７を介して鉄片を含む磁性体を吸着し、励磁が解除されたとき、可動プレート７がスプリング１０の弾力により所定の離隔位置に復帰すると同時に鉄片を含む磁性体を解放するように構成した。【選択図】図１
2005231796.tif 000002
【特許請求の範囲】
【請求項１】
電磁石を備え、該電磁石を励磁することにより鉄片を含む磁性体を吸着して吊上げ、該吊上げ状態で移動した適宜位置で前記励磁を解除して前記磁性体を解放するリフティングマグネットにおいて、
前記電磁石の機能を持つとともにコア部にロッド用孔が穿設されたマグネット本体と、該マグネット本体の吸着面とほぼ同じ面積からなり、背面に固着されたロッドが前記ロッド用孔に遊挿されることにより前記吸着面に接離自在に前記マグネット本体に取り付けられるとともに、該マグネット本体が非励磁状態のときはスプリングの弾力により前記吸着面から所定間隔だけ離隔して保持される軟鉄を含む材質製の可動プレートとを備え、
前記マグネット本体が励磁されたとき、前記スプリングの弾力に抗して前記可動プレートを前記吸着面に吸着するとともに該可動プレートを介して前記磁性体を吸着し、前記励磁が解除されたとき、前記可動プレートが前記スプリングの弾力により前記離隔した位置に復帰すると同時に前記磁性体を解放することを特徴とするリフティングマグネット。
【請求項２】
上記可動プレートは、上記吸着面を補強する補強プレートを兼ねていることを特徴とする請求項１記載のリフティングマグネット。
【発明の詳細な説明】
【技術分野】
【０００１】
本発明は、リフティングマグネットに関するものであり、特に、電磁石の機能を利用して鉄片を含む磁性体の運搬等に使用されるリフティングマグネットに関するものである。
【背景技術】
【０００２】
従来のリフティングマグネットとして、例えば次のようなものが知られている。このリフティングマグネットは、コークス炉の装入蓋の開閉に用いられているもので、マグネットの吸着面中央部に上下方向に摺動自在に検出ロッドを設け、該検出ロッドをコイルスプリングにより下向きに付勢するとともに、該検出ロッドの下端より吸着面の半径方向に放射状に検出バーを設け、検出ロッドの上端部には、この上端部に対応してリミットスイッチを設けている。そして装入蓋の吸着時に、該装入蓋の上面が前記検出バーに当接して該検出バーを上方に押し込んだとき、検出ロッドの上端で前記リミットスイッチをオンすることで、前記装入蓋の吸着を確実に検出できるようにしている（例えば、特許文献１参照）。
【０００３】
このような、コークス炉の装入蓋の開閉に用いられているリフティングマグネットに対し、他の用途のリフティングマグネットとして、例えば鉄片を含む磁性体の運搬に用いられているものが知られている。このリフティングマグネットは、電磁石を励磁することにより鉄片を含む磁性体を吸着面に吸着して吊上げ、この吊上げ状態で前記鉄片を含む磁性体を適宜位置に運搬し、前記励磁を解除することにより前記鉄片を含む磁性体を解放するようにしている。
【特許文献１】実開平７−３８１５８号公報（第１頁、図１）。
【発明の開示】
【発明が解決しようとする課題】
【０００４】
従来の鉄片を含む磁性体の運搬に用いられているリフティングマグネットにおいては、鉄片が比較的小さいと、電磁石を励磁して、その鉄片を吸着面に吸着した際、該鉄片が磁化されてしまうことがある。このため、該鉄片を吸着面に吊り下げた状態で適宜位置に運搬した後、前記励磁を解除しても、その比較的小さい鉄片が吸着面から容易に離れなくなってしまうという問題があった。
【０００５】
そこで、鉄片を含む磁性体の解放性を向上させるために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、電磁石を備え、該電磁石を励磁することにより鉄片を含む磁性体を吸着して吊上げ、該吊上げ状態で移動した適宜位置で前記励磁を解除して前記磁性体を解放するリフティングマグネットにおいて、前記電磁石の機能を持つとともにコア部にロッド用孔が穿設されたマグネット本体と、該マグネット本体の吸着面とほぼ同じ面積からなり、背面に固着されたロッドが前記ロッド用孔に遊挿されることにより前記吸着面に接離自在に前記マグネット本体に取り付けられるとともに該マグネット本体が非励磁状態のときはスプリングの弾力により前記吸着面から所定間隔だけ離隔して保持される軟鉄を含む材質製の可動プレートとを備え、前記マグネット本体が励磁されたとき、前記スプリングの弾力に抗して前記可動プレートを前記吸着面に吸着するとともに該可動プレートを介して前記磁性体を吸着し、前記励磁が解除されたとき、前記可動プレートが前記スプリングの弾力により前記離隔した位置に復帰すると同時に前記磁性体を解放するリフティングマグネットを提供する。
【０００７】
この構成によれば、マグネット本体の励磁により、可動プレートがスプリングの弾力に抗して吸着されるとともに、この可動プレートを介して鉄片を含む磁性体が吸着されて吊上げられる。この鉄片を含む磁性体の吊上げ状態で適宜位置への移動が行われた後、前記励磁が解除されると、可動プレートがスプリングの弾力で所定の離隔位置へ復帰するのに伴って、鉄片を含む磁性体が、この可動プレートの所定の離隔位置への復帰力を受けて該可動プレートから勢いよく解放される。
【０００８】
請求項２記載の発明は、上記可動プレートは、上記吸着面を補強する補強プレートを兼ねている請求項１記載のリフティングマグネットを提供する。
【０００９】
この構成によれば、可動プレートは、マグネット本体における吸着面の吸着衝撃耐性を高めるための補強プレートとしても機能する。
【発明の効果】
【００１０】
請求項１記載の発明は、電磁石の機能を持つとともにコア部にロッド用孔が穿設されたマグネット本体と、該マグネット本体の吸着面とほぼ同じ面積からなり、背面に固着されたロッドが前記ロッド用孔に遊挿されることにより前記吸着面に接離自在に前記マグネット本体に取り付けられるとともに該マグネット本体が非励磁状態のときはスプリングの弾力により前記吸着面から所定間隔だけ離隔して保持される軟鉄を含む材質製の可動プレートとを備え、前記マグネット本体が励磁されたとき、前記スプリングの弾力に抗して前記可動プレートを前記吸着面に吸着するとともに該可動プレートを介して前記磁性体を吸着し、前記励磁が解除されたとき、前記可動プレートが前記スプリングの弾力により前記離隔した位置に復帰すると同時に前記磁性体を解放するようにしたので、鉄片を含む磁性体が可動プレートを介してマグネット本体に吸着されている状態で当該マグネット本体の励磁が解除されると、鉄片を含む磁性体は、可動プレートがスプリングの弾力で所定の離隔位置へ復帰する復帰力を受けて該可動プレートから勢いよく解放されるため、鉄片を含む磁性体の解放性を向上させることができるという利点がある。
【００１１】
請求項２記載の発明は、上記可動プレートは、上記吸着面を補強する補強プレートを兼ねているので、上記請求項１記載の発明の効果に加えてさらに、可動プレートは、補強プレートを利用して構成したことで、鉄片等の解放性を向上させるための構造を少ない部品点数で実現することができるという利点がある。
【発明を実施するための最良の形態】
【００１２】
鉄片を含む磁性体の解放性を向上させるという目的を、マグネット本体におけるコア部にロッド用孔を穿設し、該マグネット本体の吸着面とほぼ同じ面積からなり、背面に固着したロッドを前記ロッド用孔に遊挿することにより前記吸着面に接離自在とした軟鉄を含む材質製の可動プレートを配設し、前記ロッドの上端をマグネット本体の上部に形成したスプリング室に臨ませるとともに前記ロッドの上端にディスク状のスプリング受けを固着し、該スプリング受けと前記スプリング室の上部内壁との間にスプリングを縮設して、前記マグネット本体が非励磁状態のときは、前記可動プレートを前記スプリングの弾力により前記吸着面から所定間隔だけ離隔して保持し、前記マグネット本体が励磁されたとき、前記スプリングの弾力に抗して前記可動プレートを前記吸着面に吸着するとともに該可動プレートを介して前記鉄片を含む磁性体を吸着し、前記励磁が解除されたとき、前記可動プレートが前記スプリングの弾力により前記所定の離隔位置に復帰すると同時に、この可動プレートの所定の離隔位置への復帰力により前記鉄片を含む磁性体を勢いよく解放することにより実現した。
【実施例１】
【００１３】
以下、本発明の実施例１を図面に従って詳述する。図１は、本実施例に係るリフティングマグネットの縦断面図。図２は、リフティングマグネットの移動装置の一例として、アームの先端部にリフティングマグネットを装着した油圧ショベルの側面図である。まず、本実施例に係るリフティングマグネットの構成を説明する。図１に示すように、リフティングマグネット１は、コア２にコイル３が巻回されて電磁石の機能を持つマグネット本体５を主体として構成されている。該マグネット本体５における前記コア２の部分にはロッド用孔４が穿設されている。
【００１４】
該マグネット本体５には、その吸着面５ａとほぼ同じ面積からなり、背面に固着されたロッド６が前記ロッド用孔４に遊挿されることにより前記吸着面５ａに接離自在とされた可動プレート７が取付けられている。前記ロッド６の上端は、マグネット本体５の上部に形成されたスプリング室８に臨み、該ロッド６の上端にディスク状のスプリング受け９が固着されている。そして、該スプリング受け９と前記スプリング室８の上部内壁との間にスプリング１０が縮設されている。
【００１５】
可動プレート７は、該スプリング１０の弾力により、吸着面５ａに対して、常時、離隔方向に付勢されているが、前記スプリング受け９がマグネット本体５の上面に当接することで、吸着面５ａからの可動プレート７の最大離隔量は、所定間隔に規制されている。
【００１６】
前記可動プレート７は、マグネット本体５が励磁されたとき、当該可動プレート７自体が吸着面５ａに吸着されるとともに該可動プレート７を介して鉄片等の磁性体を効果的に吸引し、また当該可動プレート７が磁化されるのを避けるために、保磁力の小さい軟鉄を主体とした材質で作製されている。
【００１７】
ここで、リフティングマグネット１の稼働時に、吸着する鉄片等の磁性体をマグネット本体５の吸着面５ａで直接受けると、該吸着面５ａは鉄片等の磁性体による吸着衝撃で傷がつきやすい。このため、通常、吸着面５ａには、吸着衝撃耐性を高めるために、補強プレートを取付けることが行われている。可動プレート７は、この補強プレートを利用して構成することが可能である。
【００１８】
また、マグネット本体５の上部には、コイル３に電流を流すためのケ−ブル１１が導出されるとともに、次に述べる油圧ショベルに取付けるためのチェーン１２が取付けられている。
【００１９】
図２は、上述したリフティングマグネット１を移動させるための油圧ショベル１３を示している。該油圧ショベル１３は、下部走行体１４の上に旋回機構１５を介して上部旋回体１６が旋回自在に載置されている。上部旋回体１６にはその前方一側部にキャブ１７が設けられ、且つ、前方中央部にブーム１８が俯仰可能に取付けられている。さらに、ブーム１８の先端にアーム１９が上下回動自在に取付けられ、該アーム１９の先端に、チェーン１２を介して前記リフティングマグネット１が取付けられている。該リフティングマグネット１からのケ−ブル１１は、キャブ１７まで延びており、キャブ１７内からの操作によってコイル３への通電制御が行われる。
【００２０】
次に、図３及び図４を用いて上述のように構成されたリフティングマグネットの作用を説明する。図３は、リフティングマグネットが鉄片等の磁性体を吸着した状態を示す図、図４は、リフティングマグネットが図３の状態から鉄片等の磁性体を解放する様子を示す図である。
【００２１】
キャブ１７内からの操作によって、リフティングマグネット１が被運搬体である鉄片等の磁性体に近付けられ、マグネット本体５が励磁されると、図３に示すように、可動プレート７がスプリング１０の弾力に抗して吸着面５ａへ吸着されるとともに、この可動プレート７を介して鉄片等の磁性体２０が吸着されて吊上げられる。この鉄片等の磁性体２０の吊上げ状態で、油圧ショベル１３により適宜の運搬位置への移動が行われる。この運搬位置で前記マグネット本体５の励磁が解除されると、図４に示すように、可動プレート７がスプリング１０の弾力で所定の離隔位置へ復帰するのに伴って、鉄片等の磁性体２０が、この可動プレート７の所定の離隔位置への復帰力を受けて該可動プレート７から勢いよく解放される。
【００２２】
このとき、磁性体２０の中に、比較的小さい鉄片が含まれていると、この比較的小さい鉄片は、前記吸着面５ａへ可動プレート７を介して吸着されているときに磁化されてしまうことがあり、単にマグネット本体５の励磁が解除されたのみでは、リフティングマグネット１から容易に離れなくなってしまう。これに対し、本実施例では、上記のように、マグネット本体５の励磁が解除されたとき、鉄片等の磁性体２０は、可動プレート７がスプリング１０の弾力で所定の離隔位置へ復帰する復帰力を受けるので、比較的小さい鉄片でもリフティングマグネット１から確実に解放されて、所定位置への運搬が行われる。
【００２３】
上述したように、本実施例に係るリフティングマグネットにおいては、マグネット本体５の励磁が解除されたとき、鉄片を含む磁性体２０は、可動プレート７がスプリング１０の弾力で所定の離隔位置へ復帰する復帰力を受けて該可動プレート７から勢いよく解放されることで、磁性体２０中に比較的小さい鉄片が含まれていても、リフティングマグネット１からの解放性を向上させることができる。また、可動プレート７は、補強プレートを利用して構成したことで、鉄片等の解放性を向上させるための構造を少ない部品点数で実現することができる。
【００２４】
なお、本発明は、本発明の精神を逸脱しない限り種々の改変をなすことができ、そして、本発明が該改変されたものにも及ぶことは当然である。
【図面の簡単な説明】
【００２５】
図は本発明の実施の形態を示すものである。
【図１】実施例１に係るリフティングマグネットの縦断面図。
【図２】図１のリフティングマグネットの移動装置の一例としての油圧ショベルを示す側面図。
【図３】図１のリフティングマグネットが鉄片等の磁性体を吸着した状態を示す縦断面図。
【図４】図１のリフティングマグネットが図３の状態から鉄片等の磁性体を解放する様子を示す縦断面図。
【符号の説明】
【００２６】
１    リフティングマグネット
２    コア
４    ロッド用孔
５    マグネット本体
５ａ  吸着面
６    ロッド
７    可動プレート
１０    スプリング
１３    油圧ショベル
２０    鉄片を含む磁性体 
【図１】
2005231796.tif 000003
【図２】
2005231796.tif 000004
【図３】
2005231796.tif 000005
【図４】
2005231796.tif 000006